(57)【要約】      （修正有）【課題】機体内において、マイナスイオン発生装置により発生させたマイナスイオンを運び出すファンにより生成した風が、機体前面のパネルに設けた排風口から遠くまで吹き出されるようにする。【解決手段】機体１内に設けたファン３の排風側に、筒状に形成した風洞４を、軸芯線が前後方向に沿う姿勢として配設し、その風洞４の後端側の開放口をファン３の排風側に臨ませ、前端側の開放口を前面側のパネルに設けた排風口の背面側に臨ませ、かつ、風洞４内には、平板状の整風板５を、それの板面が風洞４の軸線方向に沿う姿勢として軸方向視において略軸芯線を通る仕切板状に設け、その仕切られた区画の一つの中に、マイナスイオン発生装置２の電極となるニードルａを配設する。【選択図】図４
0003134675.tif 000002
【実用新案登録請求の範囲】
【請求項１】
前面側のパネル（１０）に排風口（１１）を設け背面側のパネル（１２）に吸気口（１３）を設けて箱状に形成した機体（１）内に、電極となるニードル（ａ）に高圧の電圧をかけることで電子を放射せしめてマイナスイオンを発生させるマイナスイオン発生装置（２）と、発生させたマイナスイオンを、機体（１）の前面側のパネル（１０）に設けた排風口（１１）から機体（１）外に吹き出すファン（３）と、を設けたマイナスイオン発生機において、機体（１）内に設けたファン（３）の排風側に、筒状に形成した風洞（４）を、軸芯線が前後方向に沿う姿勢として配設し、その風洞（４）の後端側の開放口を前記ファン（３）の排風側に臨ませ、前端側の開放口を前面側のパネル（１０）に設けた排風口（１１）の背面側に臨ませ、かつ、風洞（４）内には、平板状の整風板（５）を、それの板面が風洞（４）の軸線方向に沿う姿勢として軸方向視において略軸芯線を通る仕切板状に設け、その仕切られた区画の一つの中に、マイナスイオン発生装置（２）の電極となるニードル（ａ）を配設することを特徴とするマイナスイオン発生機。
【請求項２】
前記風洞（４）を円筒形に形成し、それの内腔に平板状の整風板（５）を、軸方向視において風洞（４）内腔を２分するよう区画する仕切板状に設け、仕切られた区画の一方に、マイナスイオン発生装置（２）のニードル（ａ）を配設することを特徴とする請求項１記載のマイナスイオン発生機。
【請求項３】
前記風洞（４）を、平板状の整風板（５）が周壁の一部となる半円筒状に形成し、それの内腔にマイナスイオン発生装置（２）のニードル（ａ）を配設することを特徴とする請求項１記載のマイナスイオン発生機。
【考案の詳細な説明】
【技術分野】
【０００１】
本考案は、室内に設置し得る箱状に形成した機体内に、ニードル（電極）に高圧の電圧をかけ電子を放射せしめてマイナスイオンを発生させるマイナスイオン発生装置と、発生させたマイナスイオンを運び出すファンを設けて、発生させたマイナスイオンを、ファンにより吹き出して室内の空気の環境を良好にするように用いるイオン発生機についての改良に関する。
【背景技術】
【０００２】
マイナスイオン発生機Ｗは、通常、図１・図２に示しているように、家屋の室内に設置し得る小型の箱状に形成した機体１内に、ニードル（電極）ａに高圧の電圧をかけることで電子を放射せしめてマイナスイオンを発生させるマイナスイオン発生装置２と、発生させたマイナスイオン室内に吹き出すファン３を組み込み、機体１の前面側のパネル１０には、ファン３により生成した空気の流れを吹き出す排風口１１を設け、機体１の背面側のパネル１２には吸気口１３を設けて、機体１内のマイナスイオン発生装置２で発生させたマイナスイオンを、ファン３の作動で排風口１１から室内に吹き出すように構成している。
【考案の開示】
【考案が解決しようとする課題】
【０００３】
このマイナスイオン発生機Ｗは、機体１内のマイナスイオン発生装置２で発生させたマイナスイオンを、ファン３により生成する風にのせて排風口１１から室内に運び出し、室内の空気中に存在するプラスイオンを中和させることで、室内の空気の環境を爽快感にひたれるように用いるものであるから、機体１内で生成して機体１の排風口１１からファン３により生成する風にのせて室内に吹き出すマイナスイオンを、部屋の隅々まで届くよう、遠くまで運び出せるようになることが望ましい。
【０００４】
しかし、従前のイオン発生機は、機内のマイナスイオン発生装置２で機内において発生させたマイナスイオンを、機内に設けたファン３により俳風口１１から吹き出すようにしていることから、吹き出す風の到達距離が短く、室内の環境良化が不充分な問題がある。
【０００５】
本考案において解決しようとする課題は、この機体内において、マイナスイオン発生装置により発生させたマイナスイオンを運び出すファンにより生成した風が、機体前面のパネルに設けた俳風口１１から遠くまで吹き出されるようにする手段を提供することにある。
【課題を解決するための手段】
【０００６】
ファン３により吹き出す風が遠くまで到達するようにするには、ファン３の排風側に風洞を配設し、ファンにより生成した風を風洞により誘導することが有効であり、このことから、機体１内には、図２において鎖線に示しているように、筒状に形成した風洞４を、それの軸芯線がファン３の排風方向に沿わせて配設し、その風洞４の開放口を機体１の前面側のパネル１０に設けた排風口１１の背面側に臨ませ、この風洞４内に、マイナスイオン発生装置２のイオン発生部となるニードルａを配設して、ニードルａにおいて発生させたマイナスイオンを風洞４内を流れる風にのせて排風口１１から吹き出すようにする手段が試みられてきている。
【０００７】
ところで、この機体１に組み込んだファン３の排風側に風洞４を設けて、その風洞４内を流れる風によりマイナスイオンを誘導し、機体１の前面側のパネル１０に開設した排風口１１から吹き出させる手段は、吹き出す風によるマイナスイオンの到達距離が、風洞４の形状により差異を生じること、また、風洞４内に、図３に示すように、整風板５を、それの板面が風洞４の軸線方向に沿わせた姿勢として、軸方向視において風洞４内腔を周方向に区画する仕切板状に設けることで、風の到達距離をのばせるようになることが判ってきた。
【０００８】
一層具体的にいえば、風洞４を円筒形に形成した場合においては、風洞４の内腔に、板面が風洞４の軸線方向に沿う方向とした平板状の整風板５を、風洞４の軸方向視において、略軸芯線を通る仕切板状に設けて、それにより風洞４内腔を仕切るように区画し、その仕切られた区画の一つの中に、ニードルａを配設することで、発生させたマイナスイオンを一層遠くまで運び出せるようになる結果が得られた。
【０００９】
また、この整風板５は、軸芯線を通る一枚の仕切板状に設ける他、円筒形の風洞４内を軸方向視において十字状に仕切るように、二枚の整風板５を組み合わせて設ける場合、また、さらに多くの整風板５を軸方向視において放射状となるよう組み合わせて設ける場合においても有効な結果が得られた。
【００１０】
また、風洞４は、それの内腔を仕切るよう設ける平板状の整風板５が、周壁の一部を構成するよう半円筒状に形成した場合においても、ファン３で生成する風により運び出すマイナスイオンの到達距離をのばすことに有効な結果が得られた。
【００１１】
そして、このことから、本考案においては、上述の課題を解決するための手段として前面側のパネル１０に排風口１１を設け背面側のパネル１２に吸気口１３を設けて箱状に形成した機体１内に、電極となるニードルａに高圧の電圧をかけることで電子を放射せしめてマイナスイオンを発生させるマイナスイオン発生装置２と、発生させたマイナスイオンを、機体１の前面側のパネル１０に設けた排風口１１から機体１外に吹き出すファン３と、を設けたマイナスイオン発生機において、機体１内に設けたファン３の排風側に、筒状に形成した風洞４を、軸芯線が前後方向に沿う姿勢として配設し、その風洞４の後端側の開放口を前記ファン３の排風側に臨ませ、前端側の開放口を前面側のパネル１０に設けた排風口１１の背面側に臨ませ、かつ、風洞４内には、平板状の整風板５を、それの板面が風洞４の軸線方向に沿う姿勢として軸方向視において略軸芯線を通る仕切板状に設け、その仕切られた区画の一つの中に、マイナスイオン発生装置２の電極となるニードルａを配設することを特徴とするマイナスイオン発生機、を提起し、
また、これに併せて、上述のマイナスイオン発生機において、風洞４を円筒形に形成し、それの内腔に平板状の整風板５を、軸方向視において風洞４内腔を２分するよう区画する仕切板状に設け、仕切られた区画の一方に、マイナスイオン発生装置２のニードルａを配設する手段、
及び上述のマイナスイオン発生機において、風洞４を、平板状の整風板５が周壁の一部となる半円筒状に形成し、それの内腔にマイナスイオン発生装置２のニードルａを配設する手段を提起するものである。
【考案の効果】
【００１２】
本考案によるマイナスイオン発生機は、機体１内のマイナスイオン発生装置２により発生させたマイナスイオンが、機体１に設けたファン３により生成される風によって、機体１の前面側のパネル１０に設けた俳風口１１から吹き出されるときに、ファン３の俳風側に、軸線方向を前後方向として配設した風洞４と、その風洞４内に設けた板面が前記軸線方向に沿う平板状の整風板５とにより、誘導される風にのって、俳風口１１から直条状に吹き出されることで、遠くまで運び出され、部屋内の空気の環境を良好にするのが効果的に行われるようになる。
【考案を実施するための最良の形態】
【００１３】
次に、実施の態様を、実施例につき図面に従い詳述する。
【実施例１】
【００１４】
図４は、本考案手段を実施せるマイナスイオン発生機の前面側のパネル１０を取り外した状態の前面図、図５は同上の縦断した側面図で、これら図において１は箱状に形成した機体、１０はその機体１の前面側に装脱自在に組み付けた前面側のパネル、２は機体１内に組み込んだマイナスイオン発生装置、ａは高圧の電圧が印加されることで、電子を放射してマイナスイオンを発生させる同上マイナスイオン発生装置２の電極となるニードル、ｂはそのニードルａを保持する取付金具、ｃは電源ユニット、３は前記ニードルａにおいて発生させたマイナスイオンを生成する風により運び出すファン、４はファン３の俳風側に配設した風洞、５は風洞４の内腔に設けた整風板、ｄはマイナスイオン発生装置２に併せて機体１内に組み込んだ消臭用オゾン発生装置を示す。
【００１５】
機体１は長方形の箱状に形成してあり、前面側のパネル１０には、前記ファン３により生成した風を機体１の外部に吹き出す俳風口１１が開設され、後面側のパネル１２には、機体１外部の空気を機体１内に吸引する吸気口１３が開設してある。
【００１６】
機体１の内部は、棚設した棚板１ａにより上下に２分するよう区画され、上部側の区画には、ファン３及びそのファン３の俳風側に配設せる風洞４とが、左右に一対に並列して装設してあり、下部側の区画内には、電源ユニットｃとマイナスイオン発生装置２の圧電装置よりなるイオン発生ユニット２０とが、鉄板よりなるベース１ｂ上に、左右に並列するように組み付けられて、そのベース１ｂを介して機体１に装設してある。
【００１７】
前記風洞４・４は、適宜形状の筒状に形成して、それの軸線方向が機体１の前後方向に沿う姿勢としてファン３の俳風側に配位し、前端側の開放口を機体１の前面側のパネル１０に設けた俳風口１１の背面側に臨ませるように装設することで、ファン３により生成した空気の流れが、この風洞４の内腔を流過して誘導され、俳風口１１から機体１の外部に吹き出されるようにするが、この実施例においては、左側に位置する風洞４にあっては、円筒形状に形成してあり、右側に位置する風洞４にあっては、円筒を上下に２分した形状の半円筒形状に形成してある。
【００１８】
風洞４の内腔に設ける整風板５は、平らな板状の平板に形成し、それの板面が、風洞４の軸線方向に沿う姿勢とし、かつ、風洞４の軸方向視において、風洞４の略軸芯位置を通る状態として装架する。この実施例の左側に位置する風洞４内に設けた整風板５にあっては、その風洞４の内腔を左右に横切る状態に装設してあるが、風洞４の軸方向視において、上下に横切る状態に設けてもよい。
【００１９】
また、この整風板５は、上述の左側の風洞４内に設けたものにあっては、一枚になっているが、二枚の整風板５を、図７に示しているように、風洞４の軸方向視において十字状にクロスするように設ける場合がある。
【００２０】
また、複数枚の整風板５を、風洞４の軸方向視において、略軸芯位置から放射状に突出するように設けてもよい。
【００２１】
また、この整風板５は、図４において右側に示している風洞４のように、半円筒形に形成した場合にあっては、周壁の一部を整風板５が共有する形態として装設してよい。
【００２２】
前述の右側に位置する半円筒に形成した風洞４は、この例においては、円筒の下半側を切除して、下面が平らな板面となる半円筒形に形成してあり、かつ、ファン３の俳風側の上半側に寄せた位置に配設して、半円筒状の風洞４の下方に、ファン３の下半側が露出する形態とし、この風洞４の下方の空間に、消臭用オゾン発生装置ｄの放電部６を配設するようにしている。この放電部６は、図８及び図９に示しているように、ボディ６ａに電極針６１とグランド板６２を組み付けて構成される通常のものであり、これにより、この放電部６において発生させるオゾンをファン３により生成する風の下半側によりダイレクトに運び出すようにしている。
【図面の簡単な説明】
【００２３】
【図１】従前のマイナスイオン発生機の前面側のパネルを取り外した状態の前面図である。
【図２】同上マイナスイオン発生機の縦断側面図である。
【図３】本考案手段を説明するための要部の斜視図である。
【図４】本考案を実施せるマイナスイオン発生機の前面側のパネルを取り外した状態の前面図である。
【図５】同上マイナスイオン発生機の縦断側面図である。
【図６】同上マイナスイオン発生機のファン及び風洞部分の前面図である。
【図７】同上部分の別の実施例の前面図である。
【図８】機体内に組み込んだ消臭用オゾン発生装置の放電部の拡大正面図である。
【図９】同上放電部の側面図である。
【符号の説明】
【００２４】
Ｗ  マイナスイオン発生機
ａ  ニードル
ｂ  取付金具
ｃ  電源ユニット
ｄ  消臭用オゾン発生装置
１  機体
１ａ  棚板
１ｂ  ベース
１０  前面側のパネル
１１  俳風口
１２  背面側のパネル
１３  吸気口
２  マイナスイオン発生装置
２０  イオン発生ユニット
３  ファン
４  風洞
５  整風板
６  放電部
６ａ  ボディ
６１  電極針
６２  グランド板
【図１】
0003134675.tif 000003
【図２】
0003134675.tif 000004
【図３】
0003134675.tif 000005
【図４】
0003134675.tif 000006
【図５】
0003134675.tif 000007
【図６】
0003134675.tif 000008
【図７】
0003134675.tif 000009
【図８】
0003134675.tif 000010
【図９】
0003134675.tif 000011